【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
第一の図柄変動表示を少なくとも実行可能な第一の図柄表示手段と、
第二の図柄変動表示を少なくとも実行可能な第二の図柄表示手段と、
前記第一の図柄表示手段を少なくとも制御可能な制御手段と、
先読み予告を少なくとも実行可能な先読み予告手段と、
画像を表示可能な画像表示手段と、
を備えた遊技台であって、
前記制御手段は、前記第二の図柄表示手段を少なくとも制御可能なものであり、
前記制御手段は、第一の保留条件の成立があった場合に、前記第一の図柄変動表示の開始を保留する制御を少なくとも実行可能なものであり、
前記制御手段は、第二の保留条件の成立があった場合に、前記第二の図柄変動表示の開始を保留する制御を少なくとも実行可能なものであり、
前記制御手段は、第一の保留消化条件の成立があった場合に、前記第一の図柄表示手段による図柄変動表示を開始させる制御を少なくとも実行可能なものであり、
前記制御手段は、第二の保留消化条件の成立があった場合に、前記第二の図柄表示手段による図柄変動表示を開始させる制御を少なくとも実行可能なものであり、
前記第二の保留消化条件は、前記第二の図柄変動表示の開始が保留されていることを少なくとも含むものであり、
前記第一の保留消化条件は、前記第二の図柄変動表示の開始が保留されておらず、かつ前記第一の図柄変動表示の開始が保留されていることを少なくとも含むものであり、
前記先読み予告手段は、前記先読み予告として連続予告を少なくとも実行可能なものであり、
前記先読み予告手段は、割込図柄変動表示の実行中に、前記連続予告を少なくとも継続可能なものであり、
前記割込図柄変動表示は、二つの条件が前記連続予告の実行中にそれぞれ成立したことによって該連続予告の実行中に開始される図柄変動表示であり、
前記二つの条件のうちの少なくとも一つの条件は、前記第二の保留条件であり、
前記二つの条件のうちの少なくとも一つの条件は、前記第二の保留消化条件であり、
前記第一の図柄変動表示の開始が保留されていることを少なくとも表示可能な第一の保留表示手段と、
前記第二の図柄変動表示の開始が保留されていることを少なくとも表示可能な第二の保留表示手段と、
を少なくとも備え、
前記連続予告は、前記第一の保留表示手段において少なくとも実行可能なものであり、
前記第一の保留表示手段は、一以上の保留アイコンを少なくとも表示可能なものであり、
前記保留アイコンは、前記画像表示手段における画像によって構成されたものである、ことを特徴とする遊技台。
【請求項２】
請求項１に記載の遊技台であって、
前記第一の保留表示手段は、前記保留アイコンの数によって、保留数を少なくとも示すことが可能なものであり、
前記保留数とは、前記第一の図柄表示手段による前記図柄変動表示の開始が保留されている数のことである、
ことを特徴とする遊技台。
【請求項３】
請求項１又は２に記載の遊技台であって、
前記制御手段は、当否判定を少なくとも実行可能なものであり、
前記第一の図柄表示手段は、前記第一の図柄変動表示として、前記当否判定の結果に対応する図柄態様を停止表示する図柄の変動表示を少なくとも実行可能なものであり、
前記第二の図柄表示手段は、前記第二の図柄変動表示として、前記当否判定の結果に対応する図柄態様を停止表示する図柄の変動表示を少なくとも実行可能なものであり、
前記先読み予告手段は、前記図柄態様の停止表示よりも前に、前記当否判定の結果を少なくとも予告可能なものである、
ことを特徴とする遊技台。
【請求項４】
請求項１又は２に記載の遊技台であって、
前記制御手段は、当否判定を実行可能な当否判定手段を少なくとも含む第一の制御手段であり、
前記第一の制御手段は、第二の制御手段に複数種類のコマンドを少なくとも送信可能なものであり、
前記第二の制御手段は、前記第一の制御手段から受信した前記コマンドに応じた制御を少なくとも実行可能なものであり、
前記第二の制御手段は、前記第一の制御手段とは別の基板により構成されており、
前記第二の制御手段は、前記第一の制御手段から受信した前記コマンドに基づいて、前記先読み予告を行うかどうかを判定する判定手段を少なくとも含むものである、
ことを特徴とする遊技台。
【請求項５】
請求項４に記載の遊技台であって、
前記第一の制御手段から送信された前記コマンドを少なくとも受信可能な第一の制御部と、
前記画像表示手段の表示制御を少なくとも実行可能な第二の制御部と、を備え、
前記第二の制御手段は、前記第一の制御部と前記第二の制御部の両方を少なくとも含んで構成されたものである、
ことを特徴とする遊技台。
【請求項６】
請求項３乃至５のうちいずれか１項に記載の遊技台であって、
前記先読み予告手段は、前記当否判定の結果が特定の当否判定結果となる場合であり、且つ第一の予告実行条件の成立があった場合に、成り立つものである、
ことを特徴とする遊技台。
【請求項７】
請求項６に記載の遊技台であって、
前記第一の予告実行条件は、第一の確率で当選となる第一の予告抽選が行われ、かつ該第一の予告抽選に当選した場合に、成立するものである、
ことを特徴とする遊技台。
【請求項８】
請求項６又は７に記載の遊技台であって、
前記先読み予告手段は、前記当否判定の結果が前記特定の当否判定結果とは別の当否判定結果となる場合であり、且つ第二の予告実行条件の成立があった場合に、成り立つものである、
ことを特徴とする遊技台。
【請求項９】
請求項８に記載の遊技台であって、
前記第二の予告実行条件は、第二の確率で当選となる第二の予告抽選が行われ、かつ該第二の予告抽選に当選した場合に、成立するものである、
ことを特徴とする遊技台。
【請求項１０】
請求項１乃至９のうちいずれか１項に記載の遊技台であって、
前記連続予告は、複数回の図柄変動表示の実行中に継続的に行われるものである、
ことを特徴とする遊技台。
【手続補正２】
【補正対象書類名】明細書
【補正対象項目名】０００９
【補正方法】変更
【補正の内容】
【０００９】
上記目的を解決する本発明の遊技台は、
第一の図柄変動表示を少なくとも実行可能な第一の図柄表示手段と、
第二の図柄変動表示を少なくとも実行可能な第二の図柄表示手段と、
前記第一の図柄表示手段を少なくとも制御可能な制御手段と、
先読み予告を少なくとも実行可能な先読み予告手段と、
画像を表示可能な画像表示手段と、
を備えた遊技台であって、
前記制御手段は、前記第二の図柄表示手段を少なくとも制御可能なものであり、
前記制御手段は、第一の保留条件の成立があった場合に、前記第一の図柄変動表示の開始を保留する制御を少なくとも実行可能なものであり、
前記制御手段は、第二の保留条件の成立があった場合に、前記第二の図柄変動表示の開始を保留する制御を少なくとも実行可能なものであり、
前記制御手段は、第一の保留消化条件の成立があった場合に、前記第一の図柄表示手段による図柄変動表示を開始させる制御を少なくとも実行可能なものであり、
前記制御手段は、第二の保留消化条件の成立があった場合に、前記第二の図柄表示手段による図柄変動表示を開始させる制御を少なくとも実行可能なものであり、
前記第二の保留消化条件は、前記第二の図柄変動表示の開始が保留されていることを少なくとも含むものであり、
前記第一の保留消化条件は、前記第二の図柄変動表示の開始が保留されておらず、かつ前記第一の図柄変動表示の開始が保留されていることを少なくとも含むものであり、
前記先読み予告手段は、前記先読み予告として連続予告を少なくとも実行可能なものであり、
前記先読み予告手段は、割込図柄変動表示の実行中に、前記連続予告を少なくとも継続可能なものであり、
前記割込図柄変動表示は、二つの条件が前記連続予告の実行中にそれぞれ成立したことによって該連続予告の実行中に開始される図柄変動表示であり、
前記二つの条件のうちの少なくとも一つの条件は、前記第二の保留条件であり、
前記二つの条件のうちの少なくとも一つの条件は、前記第二の保留消化条件であり、
前記第一の図柄変動表示の開始が保留されていることを少なくとも表示可能な第一の保留表示手段と、
前記第二の図柄変動表示の開始が保留されていることを少なくとも表示可能な第二の保留表示手段と、
を少なくとも備え、
前記連続予告は、前記第一の保留表示手段において少なくとも実行可能なものであり、
前記第一の保留表示手段は、一以上の保留アイコンを少なくとも表示可能なものであり、
前記保留アイコンは、前記画像表示手段における画像によって構成されたものである、ことを特徴とする。